(57)【要約】【課題】  壁面に面して起立するスタッドに取付けた金具を介してパネルを引っ掛ける間仕切りパネルの取付け構造であって、パネルを簡単に引っ掛けることが出来ると共にパネル間の目地幅が一定し、又パネルの横ズレを生じないパネルの取り付け構造の提供。【解決手段】  取付け金具１４はコ型を成して、側板１ａ，１ｂの先端側上端には係止ツメ３，３を上方へ延ばし、側板１ａ，１ｂの下端部には溝４，４を形成すると共に溝側へ突出した凸部６，６を形成し、一方、コ型断面を成したスタッド１３の表面板７に形成したスリット溝９ａ，９ｂには側板１ａ，１ｂを嵌めると共に上記表面板７を側板１ａ，１ｂの溝４，４に嵌入する。又表面板７のスリット溝９ａ，９ｂの下側に形成した穴１１ａ，１１ｂには上記凸部６，６を嵌合し、パネルの表面材１７、１７を屈曲して形成した止着片１８，１８に設けたスリット溝１９，１９に側板１ａ，１ｂを嵌め、係止ツメ３，３に係止してパネル１５，１５を取付ける。【選択図】    図４
2005133462.tif 000002
【特許請求の範囲】
【請求項１】
壁面に面して起立するスタッドに取付けた金具を介してパネルを引っ掛ける間仕切りパネルの取付け構造において、上記取付け金具はコ型を成して背板の両側には側板を垂直に延ばした形状とし、そして側板の先端側上端には係止ツメを上方へ延ばし、側板の下端部には溝を形成すると共に溝側へ突出した凸部を形成し、一方、コ型断面を成したスタッドの表面板に形成したスリット溝には側板を嵌めると共に上記表面板を側板の溝に嵌入し、又表面板のスリット溝の下側に形成した穴には上記凸部を嵌合し、パネルの表面材を屈曲して形成した止着片に設けたスリット溝に側板を嵌め、係止ツメに係止してパネルを取付けたことを特徴とする間仕切りパネルの取付け構造。
【請求項２】
２ピースから成る組合せ構造のスタッド両側に取付けた金具を介してパネルを引っ掛ける間仕切りパネルの取付け構造において、上記取付け金具はコ型を成して背板の両側には側板を垂直に延ばした形状とし、そして側板の先端側上端には係止ツメを上方へ延ばし、側板の下端部には溝を形成すると共に溝側へ突出した凸部を形成し、一方、コ型断面を成したスタッドの表面板に形成したスリット溝には側板を嵌めると共に上記表面板を側板の溝に嵌入し、又表面板のスリット溝の下側に形成した穴には上記凸部を嵌合し、上記取付け金具を取付けたコ型断面のスタッドを対にして組合せ、パネルの表面材を屈曲して形成した止着片に設けたスリット溝に側板を嵌め、係止ツメに係止してパネルを取付けたことを特徴とする間仕切りパネルの取付け構造。
【請求項３】
スタッドの同じ高さに対を成して設けたスリット溝に嵌めて取付けられる取付け金具において、該取付け金具は背板と両側板を有すコ型を成し、側板の先端側上端には係止ツメを上方へ延ばし、又側板の下端部にはスタットの表面板が嵌入する幅を有す溝を形成すると共に、該溝側へ突出する凸部を形成したことを特徴とする間仕切りパネルの取付け金具。
【発明の詳細な説明】
【技術分野】
【０００１】
本発明は間仕切り装置において、起立するスタッドにパネルを取付ける構造及びパネル取付け金具に関するものである。
【背景技術】
【０００２】
間仕切り装置は大きな建物の空間を適当な大きさに仕切る場合に多用されている。間仕切り装置にもその形態は色々あるが、基本的な構造は一定間隔で起立するスタッドにパネルが取付けられて構成される。そして、該パネルの取付け手段としてはネジ止め及び金具を介して引っ掛ける方式が主な方法である。
【０００３】
ネジ止め方式は、表面材を屈曲してパネル側端に止着片を形成し、この止着片をスタッドにネジ止めすることで構成される。そして、隣り合うパネル間に形成される目地空間には目地材が嵌着されて止着片及びネジをカバーすることが出来る。又、引っ掛け方式の金具はスタッドに設けたスリット溝に係止され、該引っ掛け方式の金具にはツメが形成されていて、該ツメはパネル側端の止着片に形成したスリット溝に嵌って引っ掛けられる。
【０００４】
特許第３３５３７２６号に係る「掛止具」は、上記引っ掛け方式にてパネルを取付ける間仕切り装置である。すなわち、支柱等に設けたスリットに係合させた位置でパネルに設けたフック孔を引っ掛けて該パネルを支柱に着脱自在に取付ける掛止具であり、スリットに係合する第１の係合部と、この係合位置で前記フック孔に係合する第２の係合部と、これら第１の係合部と第２の係合部とをそれぞれ中間高さ位置で連格する連格部とからなり、パネルを抜脱する際に前記スリットに係合した位置で自身の上動をスリットの上縁に係合して禁止する禁止部を配設している。
【０００５】
従って、掛止具は支柱に設けたスリットに係止して取付けられ、支柱から突出した上係合爪にパネルが係止して取付けられる。ところで、スリットに嵌った掛止具は外れないように成っているが、その向きが左右にズレてパネルを引っ掛ける作業が容易でない。すなわち、スリットに係止しただけの掛止具は支柱面に対して垂直に位置することは出来ない。
【０００６】
支柱には左右のパネル側端が掛止具を介して引っ掛けられるが、パネルが引っ掛けられた状態であっても該掛止具の向きが変化してパネルは横ズレし、隣り合うパネル間の目地幅にバラツキが発生し、それが為に間仕切り装置の外観が損なわれる。
【特許文献１】特許第３３５３７２６号に係る「掛止具」
【発明の開示】
【発明が解決しようとする課題】
【０００７】
このように、間仕切り装置のパネルを引っ掛ける為の掛止具(取付け金具)には上記のごとき問題がある。本発明が解決しようとする課題はこの問題点であり、パネルを引っ掛け易く、又引っ掛けたパネル間の目地幅にバラツキを生じない間仕切りパネルの取付け構造及び取付け金具を提供する。
【課題を解決するための手段】
【０００８】
本発明に係るパネルの取付け金具はコ型を形成し、両側板と背板を有し、側板の先端側上端には係止ツメを上方へ延ばしている。スタットは背面側が開口したコ型断面の長尺材であり、このスタッド表面には細長いスリット溝が対を成して同一高さに設けられ、該スリット溝には側板が嵌って取付けられる。取付け金具はスタッドの正面から取付けることは出来ず、開口されている背面側からスリット溝に側板を挿入して取付けられる。
【０００９】
コ型をした取付け金具の両側板には係止ツメが先端側上端に設けられ、そして側板の下端部にはスタッドの表面板が嵌る溝が形成されている。すなわち、側板の溝に表面板が嵌入することで取付け金具がスタッドに安定して取付けられ、側板の先端側及び係止ツメは表面から突出する。そして、側板の下端部に形成した上記溝には凸部を該溝側へ突出して形成し、該凸部はスタッド面に設けた穴に嵌合することが出来、パネルを取外す際に、取付け金具が同時に持ち上がらないようにしている。
【発明の効果】
【００１０】
本発明に係る取付け金具はコ型をなしている為に、スタッドに取付けられた取付け金具は安定し、スタッド面から突出する側板及び係止ツメは垂直をなしてその向きが変化することはない。又、両側板及び係止ツメの間隔が変わることもない。従って、パネルを係止ツメに引っ掛ける場合、向きが変わらないために引っ掛け易く、取付けられたパネルは横移動することなく安定する。
【００１１】
そして、両係止ツメの間隔及び向きが変化しないために、隣り合うパネル間の目地幅は一定し、間仕切り装置の外観が損なわれることもない。一方、取付け金具はスタッド表面板に形成したスリット溝に嵌入して取付けられるが、取付け金具側板の下端部には溝が形成されてスタッド表面板が嵌入し、又溝側へ突出した凸部がスタッド表面板に設けた穴に嵌ることで、パネルを取外す際に取付け金具が同時に持ち上がらないようになる。
【００１２】
本発明の間仕切り装置は壁面に面してコ型断面のスタッドを据え付けて、該スタッドに係止した取付け金具を介してパネルを引っ掛ける場合だけでなく、コ型断面のスタッドに取付け金具を係止したものを対にして組み合わせるならば、スタッド両面にパネルを引っ掛ける間仕切り装置として構成することも出来る。
【実施例】
【００１３】
図１は本発明に係る取付け金具を示す実施例である。両側板１ａ，１ｂと背板２から成る概略コ型形状をしていて、金属板が所定形状に打ち抜かれた後で曲げ成形して製作される。両側板１ａ，１ｂは背板２に対して垂直をなして延び、背板１ａ，１ｂの先端側には上方へ突出した係止ツメ３が形成され、また側板１の下端部には溝４が設けられている。
【００１４】
係止ツメ３は側板１の上方へ突出しているが、上記溝４との位置関係は係止ツメ３の係止面５と溝４との間には寸法ａが介在している。そして、溝４を挟んで側板１には小さな凸部６を有している。ところで、該取付け金具はスタッドに取り付けられ、スタッドの正面から突出する側板１の先端部がパネルの止着片に形成したスリット溝に嵌入して係止ツメ３が係止する。
【００１５】
図２はスタッドを示している具体例であり、スタッドは概略コ型断面の金属製の長尺材であり、表面板７と両側板８ａ，８ｂを有している。そしてスタッドの表面板７には、上端部と下端部にはスリット溝９ａ，９ｂ及び１０ａ，１０ｂが設けられ、これらスリット溝９ａ，９ｂ、１０ａ，１０ｂと対を成して下側には小さな穴１１ａ，１１ｂ及び１２ａ，１２ｂが貫通している。このスタッドのスリット溝９ａ，９ｂ及び１０ａ，１０ｂに側板１ａ，１ｂが嵌って取付け金具が係止される。
【００１６】
図３はスタッド１３に取付け金具１４を介してパネル１５，１５が取付けられている横断面を示している。スタッド１３は壁面１６に面して垂直に起立し、このスタッド１３の表面板７には取付け金具１４が取付けられ、側板１ａ，１ｂの先端側約１／２が表面板７から突出している。そして、この突出した側板１ａ，１ｂがパネル１５，１５の止着片１８，１８に形成しているスリット溝に嵌っている。
【００１７】
図４はスタッド１３に取付けられた取付け金具１４にパネル１５を引っ掛けて取付けられている縦断面を示している。取付け金具１４の側板１ａ，１ｂはスタッド１３の表面板７に設けているスリット溝９ａ，９ｂに嵌入し、側板１ａ，１ｂに設けている溝４、４には表面板７が嵌合する。そして、凸部６、６は穴１１ａ、１１ｂに嵌ることになる。
【００１８】
そして、スタッド１３に取付けられた取付け金具１４の側板１ａ，１ｂにパネル１５が引っ掛けられる。パネル１５の表面材１７はパネル側端にて屈曲し、裏面側に止着片１８を形成し、該止着片１８にはスリット溝１９を設けている。スタッド１３の表面から突出した側板１は止着片１８のスリット溝１９に嵌り、係止ツメ３に係止する。すなわち、スリット溝１９に側板１を嵌めてパネル１５を放すならば、図４に示すように、止着片１８は係止ツメ３に係止して外れないようになる。
【００１９】
ところで、本発明に係る間仕切り装置は図３に示しているように、壁面１６に面して据え付けられる。スタッド１３がコ型断面である為に、背面側から表面板７に設けているスリット溝９ａ，９ｂ，１０ａ，１０ｂに取付け金具１４の側板１ａ，１ｂが嵌って取付けられる。そこで、スタッド両面にパネル１５，１５を取付ける場合には、取付け金具を取付けた状態のコ型断面のスタッドを対にして組み合わせることが出来る。勿論、組合せ構造は限定しない。
【図面の簡単な説明】
【００２０】
【図１】本発明に係る取付け金具の具体例。
【図２】スタッドの具体例。
【図３】本発明に係る間仕切り装置の横断面図。
【図４】取付け金具を介してパネルを引掛けた状態の縦断面図。
【符号の説明】
【００２１】
１  側板
２  背板
３  係止ツメ
４  溝
５  係止面
６  凸部
７  表面板
８  側板
９  スリット溝
10  スリット溝
11  穴
12  穴
13  スタッド
14  取付け金具
15  パネル
16  壁面
17  表面材
18  止着片
19  スリット溝
【図１】
2005133462.tif 000003
【図２】
2005133462.tif 000004
【図３】
2005133462.tif 000005
【図４】
2005133462.tif 000006